(57)【特許請求の範囲】
【請求項１】
上端が屋根に固定され、下端に軒樋を吊るすようにした吊りボルトを備えた屋根吊り具を補強するための屋根吊り具用補強具であって、
上記吊りボルトと略同等またはやや短めの長さを有する補強杆体を備え、該補強杆体の上、下端に上記吊りボルトを抱持する、開閉自在な一対の抱持体を連設した構成とされており、
上記抱持体は、開閉自在なリング体と、その上端に屋根支持片を有し、上記補強杆体を固定する固定部と、上記リング体に屋根支持補助部とが一体的に連設された構造とされ、
上記一対の抱持体のそれぞれの開閉自在なリング体で上記吊りボルトの上、下を抱持させた状態で、上記補強杆体の上、下端を、上記一対の抱持体の対応した固定部に固着させて、上記吊りボルトに、上記補強杆体を沿わせて固定し、
上記一対の抱持体のうち、上方の抱持体の上端と、その屋根支持片と、その屋根支持補助部とで上記屋根を下方から支持する構造にしたことを特徴とする屋根吊り具用補強具。
【請求項２】
上端が屋根に固定され、下端に軒樋を吊るすようにした吊りボルトを備えた屋根吊り具を補強するための屋根吊り具用補強具であって、
上記吊りボルトと略同等またはやや短めの長さを有する補強杆体を備え、該補強杆体の上、下端に上記吊りボルトを抱持する、開閉自在な一対の抱持体を連設した構成とされており、
上記抱持体は、開閉自在なリング体と、上記補強杆体を固定する固定部とが一体的に連設された構造とされ、かつ
上記補強杆体は、その上下端に、屋根支持片を形成した構造とされており、
上記一対の抱持体のそれぞれの開閉自在なリング体で上記吊りボルトの上、下を抱持させた状態で、上記補強杆体の上、下端を、上記一対の抱持体の対応した固定部に固着させて、上記吊りボルトに、上記補強杆体を沿わせて固定し、
上記補強杆体のうち、上方の補強杆体の屋根支持片と、上記一対の抱持体のうち、上方の抱持体の上端と、その屋根支持片とで上記屋根を下方から支持する構造にしたことを特徴とする屋根吊り具用補強具。
【発明の詳細な説明】
【技術分野】
【０００１】
本発明は、上端が屋根に固定され、下端に軒樋を吊るすようにした吊りボルトを備えた屋根吊り具を補強するための屋根吊り具用補強具に関する。
【背景技術】
【０００２】
折板屋根を施工した建物では、軒樋を取り付けるために、折板屋根に吊り下げ固定される吊りボルトと、その吊りボルトの下端に連結される、軒樋を吊るす構造とした軒樋吊り具とよりなる屋根吊り具を用いることが一般的である（特許文献１参照）。
【０００３】
このような屋根吊り具は、軒樋の荷重が１本の吊りボルトにかかるため、軒樋が強風にあおられたときに吊りボルトが折れ曲がることがあったため、補強用の種々の補強構造が提案されていた。
【０００４】
例えば特許文献１に記載されたものは、吊りボルトの上端と、軒樋吊り具の樋耳保持部とを、吊りボルトに略平行な帯状の折曲板体よりなる補強腕部（屋根吊り具用補強具）で連結して吊りボルトの補強を図っている。この屋根吊り具用補強具によれば、少ない材料で製されているため、低コストで吊りボルトの補強を実現することができる。
【先行技術文献】
【特許文献】
【０００５】
【特許文献１】特開２００８−６３８０６号公報
【発明の概要】
【発明が解決しようとする課題】
【０００６】
しかしながら、特許文献１の屋根吊り具用補強具は構造が複雑であるため、取付作業に時間を要することが想定され、さらにまた、屋根吊り具用補強具の下端が軒樋吊り具に連結され、軒樋吊り具を介して吊りボルトを補強する構造となっているため、吊りボルト自体を直接的に補強する構造として十分であるとはいえない。
【０００７】
本発明は、このような問題点を解決すべく提案されたもので、その目的は、施工が簡単で、吊りボルトを直接的に補強でき、かつ少ない材料で形成できる屋根吊り具用補強具を提供することにある。
【０００８】
また、吊りボルトは、その上端を折板屋根等に貫通させて連結するものであるから、折板屋根等の連結部位に吊りボルトと軒樋吊り具よりなる屋根吊り具および軒樋の荷重が集中的にかかると、当然にその連結部位は徐々に損傷していくおそれがあるが、そのような損傷を進行しにくくし、かつ安定して折板屋根等と吊りボルトとを連結できるようにすることも本発明の目的としている。
【課題を解決するための手段】
【０００９】
上記目的を達成するために、請求項１に記載の屋根吊り具用補強具は、上端が屋根に固定され、下端に軒樋を吊るすようにした吊りボルトを備えた屋根吊り具を補強するための屋根吊り具用補強具であって、吊りボルトと略同等またはやや短めの長さを有する補強杆体を備え、該補強杆体の上、下端に上記吊りボルトを抱持する、開閉自在な一対の抱持体を連設した構成とされており、抱持体は、開閉自在なリング体と、その上端に屋根支持片を有し、補強杆体を固定する固定部と、上記リング体に屋根支持補助部とが一体的に連設された構造とされ、一対の抱持体のそれぞれの開閉自在なリング体で吊りボルトの上、下を抱持させた状態で、補強杆体の上、下端を、上記一対の抱持体の対応した固定部に固着させて、上記吊りボルトに、補強杆体を沿わせて固定し、一対の抱持体のうち、上方の抱持体の上端と、その屋根支持片と、その屋根支持補助部とで上記屋根を下方から支持する構造にしたことを特徴とする。
【００１０】
請求項２に記載の屋根吊り具用補強具は、上端が屋根に固定され、下端に軒樋を吊るすようにした吊りボルトを備えた屋根吊り具を補強するための屋根吊り具用補強具であって、吊りボルトと略同等またはやや短めの長さを有する補強杆体を備え、該補強杆体の上、下端に上記吊りボルトを抱持する、開閉自在な一対の抱持体を連設した構成とされており、抱持体は、開閉自在なリング体と、補強杆体を固定する固定部とが一体的に連設された構造とされ、かつ補強杆体は、その上下端に、屋根支持片を形成した構造とされており、一対の抱持体のそれぞれの開閉自在なリング体で吊りボルトの上、下を抱持させた状態で、補強杆体の上、下端を、一対の抱持体の対応した固定部に固着させて、吊りボルトに、補強杆体を沿わせて固定し、補強杆体のうち、上方の補強杆体の屋根支持片と、一対の抱持体のうち、上方の抱持体の上端と、その屋根支持片とで屋根を下方から支持する構造にしたことを特徴とする。
【００１１】
（削除）
【００１２】
（削除）
【発明の効果】
【００１３】
請求項１または２に記載の屋根吊り具用補強具によれば、補強杆体を上下の抱持体を介して吊りボルトに直接固定できる構造であるため、吊りボルトを直接的に補強でき、吊りボルトの変形を確実に防止できる。また、屋根吊り具用補強具を棒状または長板状の補強杆体と、上下の抱持体とより構成できるので、少ない材料で形成することができる。
【００１４】
また、補強杆体の上端には屋根支持片が連設され、屋根に対してより広い面積で接触しているので、吊りボルトの屋根に対する連結による負荷が分散され、連結部位に対する負荷を軽減でき、屋根の連結部位の損傷を防止できる。さらに、屋根吊り具用補強具を連結させた屋根吊り具が、より広い面積で折板屋根の裏面に接触して吊り下げられているため、屋根吊り具用補強具の安定状態を維持させることができる。
【００１５】
さらに、抱持体が開閉自在なリング体で構成されているので、簡易な構成で、吊りボルトに取り付けできる屋根吊り具用補強具を実現でき、材料費を低減できる。
【００１６】
（削除）
【００１７】
また、これらの屋根吊り具用補強具は抱持体に連設された屋根支持補助部をさらに備えているので、さらに広い面積で屋根と接触して連結でき、安定感がさらに増す。
【図面の簡単な説明】
【００１８】
【図１】本発明の屋根吊り具用補強具の第１実施形態を示す分解斜視図である。
【図２】（ａ）は同実施形態の屋根吊り具用補強具（第１例）の使用状態を示す正面図、（ｂ）は屋根吊り具用補強具と折板屋根の裏面との接触状態を表した折板屋根の部分平面図である。
【図３】（ａ）は同実施形態の屋根吊り具用補強具（第２例）の使用状態を示す正面図、（ｂ）は屋根吊り具用補強具と折板屋根の裏面との接触状態を表した折板屋根の部分平面図である。
【図４】本発明の屋根吊り具用補強具の第２実施形態を示す分解斜視図である。
【図５】本発明の屋根吊り具用補強具の第３実施形態（参考例）を示す分解斜視図である。
【図６】第２実施形態の屋根吊り具用補強具の使用状態を示す正面図である。
【発明を実施するための形態】
【００１９】
以下に、本発明の実施形態について、添付図面を参照しながら説明する。
【００２０】
本発明の屋根吊り具用補強具は、折板屋根等の軒先部に取り付けて使用するもので、軒樋等を軒先に吊り下げ保持する屋根吊り具を補強する補強具である。なお、以下では屋根吊り具用補強具の取付対象として折板屋根を例示しているが、他の波形屋根や平板屋根にも取り付けることができる。
【００２１】
図１は、本発明の屋根吊り具用補強具の第１実施形態を示す分解斜視図である。図２（ａ）、（ｂ）および図３（ａ）、（ｂ）は、同実施形態の屋根吊り具用補強具の第１例および第２例の各使用状態を示す正面図、屋根吊り具用補強具と折板屋根の裏面との接触状態を表した折板屋根の部分平面図である。なお、図１には第１例に示した屋根吊り具用補強具を図示している。
【００２２】
屋根吊り具用補強具１０の取付対象である屋根吊り具２０は、折板屋根３０の軒先部３０ａに吊り下げ固定される吊りボルト２１と、吊りボルト２１の下部に連結した軒樋吊り具２２とを備えており、吊りボルト２１の上部において、防水パッキン２５、山座２４を介して上下のナット２３、２６で固定される構造となっている（図２（ａ）、図３（ａ）参照）。なお、軒樋吊り具２２は、金属等の板片で製され、その略中央部で吊りボルト２１と連結されており、その連結部位の前後（図中、左右に対応）に、軒樋（不図示）の前耳、後耳を保持する樋耳保持部２２ａ、２２ａを備えている。
【００２３】
一方、屋根吊り具用補強具１０は、上記屋根吊り具２０を補強するもので、特に吊りボルト２１に対して添え木のごとく取り付けられる。
【００２４】
すなわち、屋根吊り具用補強具１０は、図１に示すように、吊りボルト２１の添え木として作用する補強杆体１１と、この補強杆体１１を吊りボルト２１に連結固定するための上下一対の連結具Ｒ、Ｒとより構成されている。
【００２５】
補強杆体１１は、金属材、硬質樹脂材等の硬質な材料よりなり、吊りボルト２１の全長または上部を強化するために、吊りボルト２１と略同等またはやや短めの長さに形成されており、また、より強固な補強体として作用させるために、主片１１ａと副片１１ｂよりなる横断面Ｌ字形の屈曲片に形成されている。また、主片１１ａの上下端にはボルト止めのためのボルト挿通孔１１ａａが開設されている。
【００２６】
一方、上下の連結具Ｒ、Ｒはそれぞれ、金属材、硬質樹脂材等の硬質な材料よりなり、１枚の板材を折曲および湾曲させて２つの筒体を有した状態で重合して形成されている。以下では、２つの連結具Ｒ、Ｒを区別して説明する場合には、補強杆体１１の上端に固定する連結具Ｒを上連結具Ｒ１、補強杆体１１の下端に固定する連結具Ｒを下連結具Ｒ２という。
【００２７】
連結具Ｒは、開閉自在なリング体１２ａを含んで構成された、吊りボルト２１を抱持するための抱持体１２と、その抱持体１２に連設された筒体よりなる屋根支持補助部１４とを備えている。抱持体１２の開閉部は補強杆体１１との固定部１２ｂを構成しており、固定部１２ｂの重なり合う２片にはボルト挿通孔１２ｂａが開設されている。また、固定部１２ｂの上端側には、固定部１２ｂを構成する２片の上端から相互に遠ざかる方向に折曲され横方向に延出した屋根支持片１３が形成されている。
【００２８】
すなわち、この屋根吊り具用補強具１０は、補強杆体１１を連結具Ｒで挟み込んでボルトＢ、ナットＮで固定した状態では、補強杆体１１の上下端に抱持体１２が連設され、補強杆体１１の上下端に屋根支持片１３が連設された形状となる（図２（ａ）参照）。
【００２９】
この屋根吊り具用補強具１０は、図２（ａ）、図３（ａ）に示すように、補強杆体１１に連結された上下の連結具Ｒ、Ｒの両抱持体１２、１２で吊りボルト２１を抱持し、上下に移動しないように固定することで、補強杆体１１が吊りボルト２１に平行な状態で固定される。
【００３０】
具体的には、屋根吊り具用補強具１０は、上連結具Ｒ１の上端と補強杆体１１の上端とが折板屋根３０の裏面に接触し、その上連結具Ｒ１と、折板屋根３０の上面側に配され、吊りボルト２１に螺合したナット２３、山座２４、防水パッキン２５との間に折板屋根３０を挟み込み、該ナット２３と、上連結具Ｒ１の下側に配したナット２６とで締め付けて、上連結具Ｒ１およびこれに連結された補強杆体１１が吊りボルト２１の上部に固定される取付構造となっている。なお、下連結具Ｒ２の下側でナット２６止めしてもよい。
【００３１】
さらに具体的には、このように折板屋根３０に対して、屋根吊り具用補強具１０を屋根吊り具２０とともに取り付けたときには、少なくとも、上連結具Ｒ１の両端に設けた屋根支持片１３および屋根支持補助部１４の上面が折板屋根３０の裏面に接触して、安定して連結されることとなる（図２（ａ）、図３（ａ）参照）。なお、図例では補強杆体１１のＬ字形の上端面も折板屋根３０の裏面に接触している。
【００３２】
屋根吊り具用補強具１０の例としては、抱持体１２を構成するリング体１２ａのみが他よりわずかに低く形成された図２の例と、抱持体１２（のリング体１２ａ部分）、屋根支持片１３および屋根支持補助部１４の上面の各高さが同一である図３の例を挙げている。
【００３３】
図２に示した屋根吊り具用補強具１０は、抱持体１２のリング体１２ａと折板屋根３０との間に挟みこむ支持補助体１５の高さ分、リング体１２ａを低くしてある。この支持補助体１５は薄板ドーナツ形状をなしており、従来、本屋根吊り具用補強具１０を使用せずに屋根吊り具２０を取り付ける場合に使用するワッシャを代用すればよい。また、図３に示した屋根吊り具用補強具１０は、抱持体１２のリング体１２ａ、屋根支持片１３および屋根支持補助部１４の全てが同一高さに形成されているため、それら全てが折板屋根３０の裏面に接触する。
【００３４】
また、図２（ｂ）、図３（ｂ）には、屋根吊り具用補強具１０と折板屋根３０の裏面との接触状態を表した折板屋根３０の部分平面図を示している。
【００３５】
これらの図に示すように、折板屋根３０との連結部位（吊りボルト挿通孔３１とその周辺部位）に連なるように屋根支持片１３および屋根支持補助部１４が連設され、それらが折板屋根３０に対してより広い面積で接触しているので、吊りボルト２１の折板屋根３０に対する連結による負荷が分散され、連結部位への負担を軽減でき、折板屋根の連結部位の損傷を防止できる。また、屋根吊り具用補強具１０はより広い面積で折板屋根３０と接触しているので、ぐらつきを防止でき、設置が安定する。
【００３６】
このように、屋根吊り具用補強具１０は安定状態を維持できる取付構造であるため、添え木としての効果を十分に発揮できる。
【００３７】
以上のように、本屋根吊り具用補強具１０は、屋根吊り具２０を補強するものであるが、折板屋根３０との連結構造によって補強具自体も安定化、強化される。また、屋根吊り具用補強具１０を本実施形態のように長板状の補強杆体１１と、抱持体１２、１２を含んだ上下の連結具Ｒ、Ｒとより構成すれば、少ない材料で形成でき、コストの低減化も図れる。
【００３８】
ついで、本発明の第２実施形態および第３実施形態（参考例）について、図４、図５に示した分解斜視図および図６に示した使用状態図を参照しながら説明する。なお、図６には、図４の屋根吊り具用補強具１０（第２実施形態）に対応した折板屋根３０との連結状態を表した正面図を示している。図５の屋根吊り具用補強具１０に対応した使用状態については、図６とほぼ同様であるため図示を省略している。また、第２、第３実施形態では、第１実施形態と同様の構成については同一の符号を図４〜図６に付して、その説明を省略する。
【００３９】
これらの屋根吊り具用補強具１０も、吊りボルト２１と略同等またはやや短めの長さを有する補強杆体１１を備え、補強杆体１１の上下端に吊りボルト２１を抱持する抱持体１２（連結具Ｒ）を連設し、補強杆体１１の上下端に屋根支持片１３を連設したものである。
【００４０】
また、これらも抱持体１２（連結具Ｒ）が補強杆体１１とは別体に形成され、図４の抱持体１２は開閉自在なリング体１２ａで構成され、図５の抱持体１２はヒンジ構造１２ｃを有した開閉自在な２つの半割抱持体で構成されている。
【００４１】
また、第２、第３実施形態のものは、屋根支持片１３が補強杆体１１の上下端に一体に成形されている。すなわち、補強杆体１１は横断面Ｌ字形の屈曲形状とされ、主片１１ａの上下端からは、主片１１ａの半分幅に形成され、相互に遠ざかる方向に折曲され横方向に延出した２つの屋根支持片１３が、上下それぞれに形成されている。なお、補強杆体１１の主片１１ａおよび抱持体１２の固定部１２ｂには、ボルトＢ、ナットＮで固定するためのボルト挿通孔１１ａａ、１２ｂａが形成されている。
【００４２】
図６に示すように、折板屋根３０に対し、屋根吊り具２０および屋根吊り具用補強具１０を取り付けると、補強杆体１１（に連設された屋根支持片１３）が折板屋根３０に当接して、吊りボルト２１に平行な状態で固定される。
【００４３】
このように、第２、第３実施形態の屋根吊り具用補強具１０、１０についても、吊りボルト２１に対して直接的にしっかりと固定されるので、第１実施形態のものと同様の効果を期待できる。
【００４４】
また、第２実施形態のものは、第１実施形態と同様に、抱持体１２が開閉自在なリング体１２ａで構成されているので、簡易な構成で屋根吊り具用補強具１０を実現でき、材料費を低減化できる。一方、第３実施形態のものは、抱持体１２がヒンジ構造１２ｃを有した開閉自在な２つの半割抱持体よりなるリング体１２ａで構成されているので、抱持体１２の開閉を無理なく行うことができ、吊りボルト２１への取付作業を迅速にできる。例えば、既設の吊りボルト２１に対して屋根吊り具用補強具１０を取り付ける際には、抱持体１２の固定部１２ｂの１片を補強杆体１１に仮止めした状態で取り付ければ、楽に作業できる。
【００４５】
なお、これらの２実施形態では、図６に示すように、屋根支持片１３が高く形成されているので、リング状の支持補助体１５を折板屋根３０とリング体１２ａとの間に嵌め入れて高さが調節されている。これによって、屋根吊り具用補強具１０が安定状態を保持する。なお、屋根支持片１３と、リング体１２ａとの高さを同一にして安定させてもよい。
【００４６】
また、第１実施形態では、下連結具Ｒ２にも屋根支持片１３を設けて上下の連結具Ｒを同形状に形成することで２つの連結具Ｒ、Ｒを上下いずれにも使用できるようにしているが、屋根支持片１３は折板屋根３０に対して必要なものであるため、上連結具Ｒ１だけに形成したものでもよい。一方、第２、第３実施形態では、補強杆体１１の上下に屋根支持片１３、１３を設けることで補強杆体１１を天地を逆にしても使用できるようにしているが、同様に上部だけに形成したものでもよい。
【００４７】
また、上記の３実施形態では、屋根吊り具用補強具１０の屋根吊り具２０への取り付けをボルトＢ、ナットＮにより固定するようにしているが、リベットをかしめて固定するようにしてもよい。
【符号の説明】
【００４８】
１０      屋根吊り具用補強具
１１      補強杆体
１１ａ      主片
１１ａａ      ボルト挿通孔
１１ｂ      副片
Ｒ      連結具
１２      抱持体
１２ａ      リング体
１２ｂ      固定部
１２ｂａ      ボルト挿通孔
１２ｃ      ヒンジ構造
１３      屋根支持片
１４      屋根支持補助部
１５      支持補助体
Ｂ      ボルト
Ｎ      ナット
２０      屋根吊り具
２１      吊りボルト
２２      軒樋吊り具
２２ａ      樋耳保持部
２３      ナット
２４      山座
２５      防水パッキン
２６      ナット
３０      折板屋根
３０ａ      軒先部
３１      吊りボルト挿通孔
【図１】
0005309094.tif 000002
【図２】
0005309094.tif 000003
【図３】
0005309094.tif 000004
【図４】
0005309094.tif 000005
【図５】
0005309094.tif 000006
【図６】
0005309094.tif 000007